(57)【特許請求の範囲】
【請求項１】
頂部壁パネルを使用して屋根を施工する屋根の施工方法であって、
前記頂部壁パネルは、切妻形式の屋根を支持する妻方向の壁の頂部を構成するものであり、略三角形状の頂部壁パネル本体と、この頂部壁パネル本体の頂部および隅部に設けられた梁受板とを備えており、
前記頂部壁パネルを、妻方向の壁の頂部を構成するように、下方の壁パネルの上端部に載置するようにして設置し、
次に、前記頂部壁パネルの頂部どうしを繋ぐようにして、かつ、前記頂部梁受板に支持されるようにして頂部梁を設けるとともに、前記頂部壁パネルの隅部どうしを繋ぐようにして、かつ、前記中間部梁受板に支持されるようにして中間部梁を設け、
次に、前記頂部壁パネル、前記頂部梁、前記中間部梁、に支持されるようにして屋根パネルを設置することを特徴とする屋根の施工方法。
【請求項２】
請求項１に記載の屋根施工方法において、
前記梁受板は、略台形状に形成されていることを特徴とする屋根施工方法。
【請求項３】
頂部壁パネルを使用して屋根を施工する屋根の施工方法であって、
前記頂部壁パネルは、切妻形式の屋根を支持する妻方向の壁の頂部を構成するものであり、略三角形状の頂部壁パネル本体と、この頂部壁パネル本体の頂部および隅部に設けられた梁受板とを備え、前記頂部壁パネル本体の隅部下端部の角部は、略直角に形成されており、
前記頂部壁パネルが載置されるようにして設置される下方の壁パネルの上端部には、予め、該頂部壁パネルの隅部下端部の略直角に形成された角部が係合する角部受を形成しておき、
前記頂部壁パネルを、妻方向の壁の頂部を構成するように、該頂部壁パネルの隅部下端部の前記角部が、前記下方の壁パネルの上端部に形成された前記角部受に係合するようにして設置し、
次に、前記頂部壁パネルの頂部どうしを繋ぐようにして、かつ、前記頂部梁受板に支持されるようにして頂部梁を設けるとともに、前記頂部壁パネルの隅部どうしを繋ぐようにして、かつ、前記中間部梁受板に支持されるようにして中間部梁を設け、
次に、前記頂部壁パネル、前記頂部梁、前記中間部梁、に支持されるようにして屋根パネルを設置することを特徴とする屋根の施工方法。
【発明の詳細な説明】
【０００１】
【発明の属する技術分野】
本発明は、プレハブ化工法によって構築される建物のうち、切妻形式の屋根を有し、この屋根下の空間を部屋として利用可能な屋根の施工方法に関する。
【０００２】
【背景の技術】
近年、住宅の構築においては、いわゆるプレハブ化が進み、特に最近は洗練されたプランが多く生み出され、工期とともにデザイン性も注目されている。
ところで、住宅の屋根には、屋根が対向して配される、いわゆる切妻形式の屋根がある。そして、この切妻形式の屋根を有する建物の屋根裏に形成される空間を、部屋として有効利用しようとするプランは、例えば山小屋等において多用されている。
【０００３】
前記したようなデザインを備える建物を、プレハブ化を行いながら構築する方法としては、例えば、特開平０９−１６５８６５号公報に示す屋根の支持構造がある。前記公報記載の屋根の支持構造は、図１２に示すように、互いに対向配置された妻壁１０２によって屋根パネル１０９を支持するとともに、床パネル１１０上にそれぞれ屋根パネル１０９の棟部に沿って互いに対向して配設される一対の支持壁１１１によって屋根パネルを支持するものである。
この屋根の支持構造では、屋根パネル１０９を取り付けた後は、床パネル１１０を床とし、２つの支持壁１１１間の空間を部屋として利用することもできるようになっている。さらに、支持壁１１１間に空間部が存在するため、妻壁１０２の中央部には開口部を設けることも容易となっている。
【０００４】
【発明が解決しようとする課題】
しかしながら、前記公報記載の技術においては、前記支持壁１１１の存在により、利用できる屋根裏の空間が分断され、したがって、屋根裏の空間を快適に利用できるとは言い難い。
本発明の課題は、前記した切妻形式の屋根を備える建物において、屋根裏の空間を部屋として快適に利用可能な建物を、プレハブ化を行いながら構築することが可能となる屋根の施工方法を提供するものである。
【０００５】
【課題を解決するための手段】
上記課題を解決するために、請求項１記載の発明は、例えば図３（ａ）〜図３（ｃ）および図５〜図８に示すように、
頂部壁パネル５ａ、５ｂを使用して屋根を施工する屋根の施工方法であって、
前記頂部壁パネル５ａ、５ｂは、切妻形式の屋根を支持する妻方向の壁２ａ、２ｂの頂部を構成するものであり、略三角形状の頂部壁パネル本体と、この頂部壁パネル本体の頂部５ａ１、５ｂ１および隅部５ａ２、５ｂ２に設けられた梁受板（梁受合板５ａ３、５ｂ３、５ａ４、５ｂ４）とを備えており、
前記頂部壁パネル５ａ、５ｂを、妻方向の壁２ａ、２ｂの頂部を構成するように、下方の壁パネル（中央部壁パネル３ａ、３ｂ）の上端部に載置するようにして設置し、
次に、前記頂部壁パネル５ａ、５ｂの頂部５ａ１、５ｂ１どうしを繋ぐようにして、かつ、前記頂部梁受板（梁受合板５ａ３、５ｂ３、５ａ４、５ｂ４）に支持されるようにして頂部梁７を設けるとともに、前記頂部壁パネル５ａ、５ｂの隅部５ａ２、５ｂ２どうしを繋ぐようにして、かつ、前記中間部梁受板（梁受合板５ａ３、５ｂ３、５ａ４、５ｂ４）に支持されるようにして中間部梁８を設け、
次に、前記頂部壁パネル５ａ、５ｂ、前記頂部梁７、前記中間部梁８、に支持されるようにして屋根パネル（上部屋根パネル９ａ）を設置することを特徴としている。
【０００６】
請求項１記載の発明によれば、切妻形式の屋根を支持する妻方向の壁２ａ、２ｂの頂部を構成する頂部壁パネル５ａ、５ｂは、略三角形状の頂部壁パネル本体の頂部５ａ１、５ｂ１および隅部５ａ２、５ｂ２に梁受板（梁受合板５ａ３、５ｂ３、５ａ４、５ｂ４）を備えている。
前記頂部壁パネル５ａ、５ｂの頂部５ａ１、５ｂ１どうしおよび隅部５ａ２、５ｂ２どうしを繋ぐようにして、例えば、図２に示すような、頂部梁７および中間部梁８を設けることで、前記頂部梁７、前記中間部梁８、前記頂部壁パネル５ａ、５ｂに支持されるようにして屋根パネル（上部屋根パネル９ａ）を設置することが可能となるが、この際、前記頂部梁７および前記中間部梁８は、前記梁受板（梁受合板５ａ３、５ｂ３、５ａ４、５ｂ４）に確実に支持されて安定することになる。したがって、前記頂部壁パネル５ａ、５ｂ、前記頂部梁７、前記中間部梁８、に支持されるようにして屋根パネル（上部屋根パネル９ａ）を設けることが可能であることは勿論のこと、この中間部梁８には、前記屋根パネル（上部屋根パネル９ａ）に連続するようにして該屋根パネル（上部屋根パネル９ａ）よりも大きい大屋根パネル（下部屋根パネル９ｂ）を支持させることも可能である。中間部梁８に前記大屋根パネル（下部屋根パネル９ｂ）を支持させることにより、前記屋根パネル（上部屋根パネル９ａ）および前記大屋根パネル（上部屋根パネル９ａ）の下には、該屋根パネル（上部屋根パネル９ａ）や該大屋根パネル（下部屋根パネル９ｂ）を支持するための壁等の存在しない広い空間が確保される。この場合においては、前記大屋根パネル（下部屋根パネル９ｂ）が、例えば、妻方向の壁２ａ、２ｂ、妻方向と直交する桁方向の壁６、前記中間部梁８に支持されることになるが、前記中間部梁８によって屋根の水平剛性も確保されるため、構造的にも安定する。
以上により、屋根裏に、広く快適な空間を、安全に確保することが可能となる。
【０００７】
請求項２記載の発明は、例えば図３（ａ）〜図３（ｃ）に示すように、請求項１記載の屋根施工方法において、前記梁受板（梁受合板５ａ３、５ｂ３、５ａ４、５ｂ４）は、略台形状に形成されていることを特徴としている。
【０００８】
請求項２記載の発明によれば、前記梁受板（梁受合板５ａ３、５ｂ３、５ａ４、５ｂ４）は略台形状に形成されている。この略台形状に形成されている梁受板（梁受合板５ａ３、５ｂ３、５ａ４、５ｂ４）を、例えば図３（ａ）〜図３（ｃ）に示すように、略三角形状の頂部壁パネル５ａ、５ｂの頂部５ａ１、５ｂ１においては、上底部が上方に向くように、隅部５ａ２、５ｂ２においては、下底部が頂部５ａ１、５ｂ１から隅部５ａ２、５ｂ２へと形成される斜辺に平行となるように配することが可能である。すなわち、頂部５ａ１、５ｂ１と隅部５ａ２、５ｂ２との双方に対応可能な梁受板（梁受合板５ａ３、５ｂ３、５ａ４、５ｂ４）の形状とすることで、生産コストを低減することが可能である。
【００１３】
請求項３記載の発明は、例えば図３（ａ）〜図３（ｃ）および図５〜図８に示すように、頂部壁パネル５ａ、５ｂを使用して屋根を施工する屋根の施工方法であって、
前記頂部壁パネル５ａ、５ｂは、切妻形式の屋根を支持する妻方向の壁２ａ、２ｂの頂部を構成するものであり、略三角形状の頂部壁パネル本体と、この頂部壁パネル本体の頂部５ａ１、５ｂ１および隅部５ａ２、５ｂ２に設けられた梁受板（梁受合板５ａ３、５ｂ３、５ａ４、５ｂ４）とを備え、前記頂部壁パネル本体の隅部下端部の角部５ａ５、５ｂ５は、略直角に形成されており、
前記頂部壁パネル５ａ、５ｂが載置されるようにして設置される下方の壁パネル（中央部壁パネル３ａ、３ｂ）の上端部には、予め、該頂部壁パネル５ａ、５ｂの隅部下端部の略直角に形成された角部５ａ５、５ｂ５が係合する角部受５ａ６、５ｂ６を形成しておき、前記頂部壁パネル５ａ、５ｂを、妻方向の壁２ａ、２ｂの頂部を構成するように、該頂部壁パネル５ａ、５ｂの隅部下端部の前記角部５ａ５、５ｂ５が、前記下方の壁パネル（中央部壁パネル３ａ、３ｂ）の上端部に形成された前記角部受５ａ６、５ｂ６に係合するようにして設置し、次に、前記頂部壁パネル５ａ、５ｂの頂部５ａ１、５ｂ１どうしを繋ぐようにして、かつ、前記梁受板（梁受合板５ａ３、５ｂ３）に支持されるようにして頂部梁７を設けるとともに、前記頂部壁パネル５ａ、５ｂの隅部５ａ２、５ｂ２どうしを繋ぐようにして、かつ、前記梁受板（梁受合板５ａ４、５ｂ４）に支持されるようにして中間部梁８を設け、次に、前記頂部壁パネル５ａ、５ｂ、前記頂部梁７、前記中間部梁８、に支持されるようにして屋根パネル（上部屋根パネル９ａ）を設置することを特徴としている。
【００１４】
請求項３記載の発明によれば、前記頂部壁パネル５ａ、５ｂが載置されるようにして設置される下方の壁パネル（中央部壁パネル３ａ、３ｂ）の上端部には、予め、該頂部壁パネル５ａ、５ｂの隅部下端部の略直角に形成された角部５ａ５、５ｂ５が係合する角部受５ａ６、５ｂ６が形成されている。そして、隅部下端部の角部５ａ５、５ｂ５が略直角に形成された頂部パネル５ａ、５ｂは、妻方向の壁２ａ、２ｂの頂部を構成するように、前記角部５ａ５、５ｂ５が、前記下方の壁パネル（中央部壁パネル３ａ、３ｂ）の上端部に形成された前記角部受５ａ６、５ｂ６に係合するようにして設置される。これにより、前記頂部壁パネル５ａ、５ｂを容易に設置することが可能となる。
【００１５】
【発明の実施の形態】
以下、本発明である屋根の施工方法の実施形態について詳細に説明する。
【００１６】
本発明である屋根の施工方法は、例えば、図１に示すようなロッジ風の住宅の構築に利用されるものである。この住宅は、木造２階建てであり、パネル工法によって構築される。この住宅の２階部分は、切妻形式の屋根の屋根裏の空間を部屋として利用するものである。
【００１７】
２階建て住宅のうち、本発明に係る２階部分を中心に説明する。図１において、符号１は住宅を示す。
この住宅１は、壁や屋根等の部材がそれぞれパネル化して構成されており、これらのパネルを、図示しない係合材、ボルト、釘等によって連結しながら構築される。
前記住宅１の２階部分には、図１、図２に示すように、互いに対向するようにして妻方向の壁２ａ、２ｂが立設され、この妻方向の壁２ａ、２ｂに直交して連結されるようにして桁方向の壁６が立設されている。この妻方向の壁２ａ、２ｂおよび桁方向の壁、さらに、該妻方向の壁２ａ、２ｂを繋ぐようにして設けられる頂部梁７および中間部梁８に支持されるようにして、上部屋根パネル９ａ、下部屋根パネル９ｂ、ケラバ屋根パネル９ｃが設置されている。
なお、前記中間部梁８は、前記頂部梁７と前記桁方向の壁６の上端部との間に、その中間位置より上方に位置するように配されているため、前記下部屋根パネル９ｂは上部屋根パネル９ａよりも大きく形成されている。
【００１８】
妻方向の壁２ａ、２ｂは、外壁２ａと内壁２ｂとに分かれており、それぞれ２階を構成する部分は、図３（ｂ）、図３（ｃ）に示すように、略三角形状に形成されており、それぞれ開口部を備える中央部壁パネル３ａ、３ｂと、この中央部壁パネル３ａ、３ｂの両側部に連結されるとともに、桁方向の壁６に連結される側部壁パネル４ａ、４ｂと、前記中央部壁パネル３ａ、３ｂの上端部に設置される頂部壁パネル５ａ、５ｂと、によって構成されている。
【００１９】
このうち、外壁となる妻方向の壁２ａ、２ｂａの頂部に設置される頂部壁パネル５ａは、図３（ａ）に示すように、略三角形状であり、この頂部壁パネル５ａの頂部５ａ１および隅部５ａ２には、予め、略台形状の梁受合板５ａ３、５ａ４がボルト等によって固定されている。略三角形状の頂部壁パネルの頂部５ａ１に配される、前記略台形状の梁受合板５ａ３は、上底部が上方に向くように、隅部５ａ２に配される梁受合板５ａ４は、下底部が頂部５ａ１から隅部５ａ２へと形成される斜辺に平行となるように配されている。なお、内壁となる妻方向の壁２ａ、２ｂの頂部に設置される頂部壁パネル５ｂは、斜辺に段差部５ｂ７が形成されている他は、外壁となる妻方向の壁２ａ、２ｂａの頂部に設置される頂部壁パネル５ａと同一である。そして、図３（ｂ）、図３（ｃ）に示す前記頂部壁パネル５ａ、５ｂの頂部５ａ１、５ｂ１どうしおよび隅部５ａ２、５ｂ２どうしを繋ぐようにして、かつ、図示しない梁受金物を介して前記梁受合板５ａ３、５ｂ３、５ａ４、５ｂ４に支持されるようにして、Ｈ型鋼である頂部梁７および中間部梁８が設けられる。
さらに、前記頂部壁パネル５ａ、５ｂの隅部下端部の角部５ａ５、５ｂ５は略直角に形成されている。
【００２０】
また、それぞれ、前記中央部壁パネル３ａ、３ｂの両側部に連結される側部壁パネル４ａ、４ｂは、屋根を支持する斜辺を備えるとともに、前記桁方向の壁６に当接するようにして形成されている。なお、前記側部壁パネル４ａ、４ｂは、立設させた場合に前記中央部壁パネル３ａ、３ｂとの当接部において、前記頂部壁パネル５ａ、５ｂの隅部下端部に形成された角部５ａ５、５ｂ５に係合する角部受５ａ６、５ｂ６が形成されるように、該中央部壁パネル３ａ、３ｂの高さよりも所定寸法大きくなるように形成されている。
【００２１】
また、前記下部屋根パネル９ｂは、図４（ａ）〜図４（ｄ）に示すように、芯材９ｂ１の両面に合板９ｂ２が設けられて形成されているとともに、内部には、ロックウール９ｂ３が充填されている。この下部屋根パネル９ｂは、図１に示すように、前記中間部梁８と前記桁方向の壁６の上端部との比較的大きなスパンに設置可能となるように、所定の剛性を備えて形成されている。さらに、前記下部屋根パネル９ｂには、この下部屋根パネル９ｂの搬送時や施工時に用いられる、ストッパ９ｂ４、高さ補正部材９ｂ５、落下防止材９ｂ６等が設けられている。また、下部屋根パネル９ｂの、上部屋根パネル９ａに接する側には、上部屋根パネル９ａの下端部を受けるための受材９ｂ７が取りつけられているとともに、切欠状の通気孔９ｂ８が形成されている。下部屋根パネル９ｂ内には、スペーサとしてのダンボール９ｂ９によって矢印で示す通気経路が確保され、通気孔９ｂ８から上部壁パネル９ａ側に通気が行われるようになっている。
【００２２】
以下、施工方法について説明する。２階建て住宅のうち、本発明に係る２階部分の住宅の構築について説明する。
【００２３】
先ず、図５に示すように、２階部分の妻方向の壁２ａ、２ｂである前記中央部壁パネル３ａ、３ｂおよび前記側部壁パネル４ａ、４ｂや、前記桁方向の壁６を建て込み、周知の方法で互いに連結しながら固定する。この際、前記中央部壁パネル３ａ、３ｂと前記側部壁パネル４ａ、４ｂとの当接部においては、該側部壁パネル４ａ、４ｂの高さが該中央部壁パネル３ａ、３ｂの高さよりも所定寸法大きくなるように形成されていることにより、前記頂部壁パネル５ａ、５ｂの隅部下端部に形成された前記角部５ａ５、５ｂ５に係合する角部受５ａ６、５ｂ６が形成される。
【００２４】
次に、図６（ａ）に示すように、前記頂部壁パネル５ａ、５ｂを、その隅部下端部に略直角に形成された角部５ａ５、５ｂ５が、前記中央部壁パネル３ａ、３ｂと前記側部壁パネル４ａ、４ｂとによって形成された角部受５ａ６、５ｂ６に係合するようにして設置する。その後、図６（ｂ）に示すように、ダイヤル下げ振り１０等を用いて前記中央部壁パネル３ａ、３ｂや前記側部壁パネル４ａ、４ｂの鉛直精度を確認し、パネルステー１１等によって仮保持させておく。
【００２５】
次に、図７に示すように、前記頂部壁パネル５ａ、５ｂの頂部５ａ１、５ｂ１どうしを繋ぐようにして、かつ、前記頂部梁受合板５ａ３、５ｂ３に、図示しない梁受金物を介して支持されるようにして、Ｈ型鋼である頂部梁７を設ける。同様に、前記頂部壁パネル５ａ、５ｂの隅部５ａ２、５ｂ２どうしを繋ぐようにして、かつ、前記中間部梁受合板５ａ４、５ｂ４に、図示しない梁受金物を介して支持されるようにしてＨ型鋼である中間部梁８を設ける。なお、前記梁受金物は、図示しないボルト等によって前記梁受合板５ａ３、５ｂ３、５ａ４、５ｂ４に固定されるととともに、Ｈ型鋼である中間部梁８や頂部梁８は、該梁受金物に図示しないボルト等によって固定される。
【００２６】
次に、図７に示すように、前記頂部壁パネル５ａ、５ｂ、前記頂部梁７、前記中間部梁８、に支持されるようにして上部屋根パネル９ａを設置するとともに、前記妻方向の壁２ａ、２ｂである側部壁パネル４ａ、４ｂ、前記中間部梁８、前記桁方向の壁６、に支持されるようにして、前記上部屋根パネル９ａよりも大きい下部屋根パネル９ｂを設置する。この際、図８に示すように、前記下部屋根パネル９ｂの下部に設けられているストッパ９ｂ４を、前記桁方向の壁６に当接させて該下部屋根パネル９ｂの位置を確定させる。なお、互いに当接する、図示しない前記上部屋根パネル９ａの芯材と前記下部屋根パネル９ｂの芯材９ｂ１には、互いに連通するようにして、図示しない換気口を形成しておくことによって、下部屋根パネル９ｂから上部屋根パネル９ａの方向に気流が生じて換気が行われる。
【００２７】
次に、図９に示すように、天井防湿シート１２を、前記下部屋根パネル９ｂの内側の前記中間部梁８近傍から内壁１３の内側まで延在するようにして、所定の重ね幅を設けながら釘等によって下部屋根パネル９ｂの芯材９ｂ１に固定して取り付ける。
この天井防湿シート１２の取り付け後、内壁１３の内側には石膏ボード１４を、前記中間部梁８の下方においては、天井下地胴縁１５の取付けを行う。前記天井下地胴縁１５からは、野縁を吊り下げて天井１６を形成し、この天井１６によって前記中間部梁８が隠れるようにする。
【００２８】
なお、本発明に係る住宅１のように、前記下部屋根パネル９ｂが、比較的急勾配に配される場合においては、図１０に示す調整部材１７が用いられる。この調整部材１７は、前記下部パネル９ｂの軒先側に取り付けられる軒先部材１７ａと、軒天井１８の上面に設けられる野縁１８ａを支持する野縁受部材１７ｂと、前記軒先部材１７ａと前記野縁受材１７ｂとを連結する連結部材１７ｃと、によって構成されている。この調整部材１７を、前記下部パネル９ｂの軒先側に取り付けるとともに、該調整部材１７に前記野縁１８ａを支持させて軒天井１８を形成する。
【００２９】
また、本発明に係る住宅１は、前記上部屋根パネル９ａにオプションでトップライト１９の取り付けを選択することができるようになっている。トップライト１９の取り付けを選択する場合には、図１１に示すように、トップライト１９を前記上部屋根パネル９ａに、予め工場等において取り付けておき、ダンボール２０等で養生を行いながら現場へ搬送して、上部屋根パネル９ａを取り付ければよい。
【００３０】
本実施の形態によれば、以下のような効果を得ることができる。
▲１▼切妻形式の屋根を支持する妻方向の壁２ａ、２ｂの頂部を構成する頂部壁パネル５ａ、５ｂは、頂部５ａ１および隅部５ａ２に梁受合板５ａ３、５ａ４を備えている。
前記頂部壁パネル５ａ、５ｂの頂部５ａ１どうしおよび隅部５ａ２どうしを繋ぐようにして、頂部梁７および中間部梁８を設けることで、前記頂部梁７、前記中間部梁８、前記頂部壁パネル５ａ１、５ｂ１に支持されるようにして上部屋根パネル９ａを設置することが可能となる。この際、前記頂部梁７および前記中間部梁８は、前記梁受合板５ａ３、５ａ４に、図示しない梁受金物を介して確実に支持されて安定する。したがって、前記頂部壁パネル５ａ１、５ｂ１、前記頂部梁７、前記中間部梁８、に支持されるようにして上部屋根パネル９ａを設けることが可能であることは勿論のこと、この中間部梁８には、前記上部屋根パネル９ａに連続するようにして該上部屋根パネル９ａよりも大きい下部屋根パネル９ｂを支持させることも可能である。中間部梁８に前記下部屋根パネル９ｂを支持させることにより、この上部パネル９ａおよび下部パネル９ｂの下には、該上部パネル９ａや下部パネル９ｂを支持するための壁等の存在しない広い空間が確保される。また、前記中間部梁８によって屋根の水平剛性も確保されるため、構造的にも安定する。
以上により、屋根裏に、広く快適な空間を、安全に確保することが可能となる。
【００３１】
▲２▼前記梁受合板５ａ３、５ａ４は略台形状に形成されている。この略台形状に形成されている梁受合板５ａ３、５ａ４を、略三角形状の頂部壁パネル５ａ、５ｂの頂部５ａ１、５ｂ１においては、上底部が上方に向くように、隅部５ａ２、５ｂ２においては、下底部が頂部５ａ１、５ｂ１から隅部５ａ２、５ｂ２へと形成される斜辺に平行となるように配することが可能である。すなわち、頂部５ａ１、５ｂ１と隅部５ａ２、５ｂ２との双方に対応可能な梁受合板５ａ３、５ａ４の形状とすることで、安価に生産コストを低減することが可能である。
【００３２】
▲３▼前記頂部壁パネル５ａ、５ｂの隅部下端部の角部５ａ５、５ｂ５は、略直角に形成されているとともに、前記中央部壁パネル３ａ、３ｂと前記側部壁パネル４ａ、４ｂとによって、前記角部５ａ５、５ｂ５に係合する角部受５ａ６、５ｂ６が形成されている。これにより、前記角部５ａ５、５ｂ５を前記角部受５ａ６、５ｂ６に係合するように前記頂部壁パネル５ａ、５ｂを設置することで、この設置作業を容易に行うことが可能となる。
【００３３】
【発明の効果】
請求項１記載の発明によれば、前記頂部壁パネルの頂部どうしおよび隅部どうしを繋ぐようにして、例えば、頂部梁および中間部梁を設けることで、前記頂部梁、前記中間部梁、前記頂部壁パネルに支持されるようにして屋根パネルを設置することが可能となるが、この際、前記頂部梁および前記中間部梁は、前記梁受板に確実に支持されて安定することになる。したがって、前記頂部壁パネル、前記頂部梁、前記中間部梁、に支持されるようにして屋根パネルを設けることが可能であることは勿論のこと、屋根の水平剛性をも確保する中間部梁には、前記屋根パネルに連続するようにして該屋根パネルよりも大きい大屋根パネルを支持させることも可能である。屋根パネルおよび大屋根パネルの下には、該屋根パネルや大屋根パネルを支持するための壁等の存在しない広い空間が確保されるため、屋根裏に、広く快適な空間を、安全に確保することが可能となる。
【００３４】
請求項２記載の発明によれば、請求項１記載の発明と同様の効果が得られることは勿論のこと、梁受板の形状を頂部壁パネルの頂部と隅部との双方に対応可能な略台形状とすることで、生産コストを低減することが可能である。
【００３７】
請求項３記載の発明によれば、前記頂部壁パネルの隅部下端部の前記角部を、前記下方の壁パネルの上端部に、予め形成されている角部受に、係合するようにして前記頂部壁パネルを設置することで、この設置作業を容易に行うことが可能となる。
【図面の簡単な説明】
【図１】本発明に係る住宅を示す図である。
【図２】本発明に係る住宅の、主に妻方向の壁を示す図である
【図３】（ａ）は本発明に係る頂部壁パネルを示す図であり、（ｂ）は頂部壁パネルが妻方向の外壁の頂部設置された状態を示す図であり、（ｃ）は頂部壁パネルが妻方向の内壁の頂部に設置された状態を示す図である。
【図４】本発明に係る下部屋根パネルの、（ａ）は全体を示す図、（ｂ）は長辺方向の断面図、（ｃ）は上端部を示す図、（ｄ）は短辺方向の断面図である。
【図５】本発明に係る住宅の一施工工程を示す図である。
【図６】（ａ）、（ｂ）ともに、本発明に係る住宅の一施工工程を示す図である。
【図７】本発明に係る住宅の一施工工程を示す図である。
【図８】本発明に係る住宅に設置される、上部屋根パネルおよび下部屋根パネルを示す図である。
【図９】本発明に係る住宅の、天井防湿シートおよび天井を示す図である。
【図１０】本発明に係る住宅の、調整部材を用いて施工される軒先部を示す図である。
【図１１】本発明に係る住宅に用いられるトップライトを示す図である。
【図１２】従来の屋根の支持構造を示す図である。
【符号の説明】
２                妻方向の壁
２ａ、２ｂ        妻方向の壁
３ａ、３ｂ        中央部壁パネル（妻方向の壁）
４ａ、４ｂ        側部壁パネル（妻方向の壁）
５ａ、５ｂ        頂部壁パネル
５ａ１、５ｂ１    頂部
５ａ２、５ｂ２    隅部
５ａ３、５ｂ３    頂部の梁受合板（梁受板）
５ａ４、５ｂ４    隅部の梁受合板（梁受板）
５ａ５、５ｂ５    角部
５ａ６、５ｂ６    角部受
７                頂部梁
８                中間部梁
９ａ              上部屋根パネル（屋根パネル）
９ｂ              下部屋根パネル（大屋根パネル）
【図１】
0003930722.tif 000002
【図２】
0003930722.tif 000003
【図３】
0003930722.tif 000004
【図４】
0003930722.tif 000005
【図５】
0003930722.tif 000006
【図６】
0003930722.tif 000007
【図７】
0003930722.tif 000008
【図８】
0003930722.tif 000009
【図９】
0003930722.tif 000010
【図１０】
0003930722.tif 000011
【図１１】
0003930722.tif 000012
【図１２】
0003930722.tif 000013